【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
被検者に放射線を照射することによる動態撮影に用いられる放射線撮影支援装置であって、
検査のオーダー情報を入力する入力部と、
前記入力部から入力した前記オーダー情報に基づいて、被検者の動態を誘導するためのガイダンスを選択するガイダンス選択部と、
を具備し、
前記オーダー情報には、撮影種別を示す情報及び撮影手技を示す情報の少なくとも１つが含まれており、
前記撮影種別を示す情報は、静止画撮影であること又は動態撮影であることを示す情報であり、
前記撮影手技を示す情報は、深呼吸であること、安静呼吸であること、又は息止めであることを示す情報である、
放射線撮影支援装置。
【請求項２】
前記オーダー情報は、ＨＩＳサーバー又はＲＩＳサーバーから出力されたものである、
請求項１に記載の放射線撮影支援装置。
【請求項３】
前記オーダー情報には、患者情報が含まれており、
前記ガイダンス選択部は、前記撮影種別を示す情報と前記撮影手技を示す情報の少なくとも１つ及び患者情報に基づいて、前記ガイダンスを選択する、
請求項１又は２に記載の放射線撮影支援装置。
【請求項４】
複数のガイダンスが、前記撮影種別を示す情報と前記撮影手技を示す情報の少なくとも１つ及び前記患者情報に紐付けられて記憶された記憶部を、さらに具備し、
前記ガイダンス選択部は、前記記憶部の前記複数のガイダンスの中から、入力されたオーダー情報に対応するガイダンスを選択する、
請求項３に記載の放射線撮影支援装置。
【請求項５】
前記ガイダンス選択部は、前記オーダー情報に含まれる患者情報に応じた音声レベルのガイダンスを選択する、
請求項１に記載の放射線撮影支援装置。
【請求項６】
前記ガイダンスを手動に変更可能な操作部を、さらに具備する、
請求項１から５のいずれか一項に記載の放射線撮影支援装置。
【請求項７】
前記ガイダンス選択部は、放射線撮影装置が配置された撮影室と、前記放射線撮影支援装置が配置された制御室とに対して、別々の音声ガイダンスを選択する、
請求項１から６のいずれか一項に記載の放射線撮影支援装置。
【請求項８】
放射線撮影装置を制御するための制御部を具備する請求項１〜７の何れかに記載の放射線撮影支援装置。
【請求項９】
被検者に放射線を照射することによる動態撮影に用いられる放射線撮影支援システムであって、
オーダー情報を入力する入力部と、
前記オーダー情報に基づいて、被検者の動態を誘導するためのガイダンスを選択するガイダンス選択部と、
前記ガイダンス選択部によって選択されたガイダンスを被検者に知覚可能に出力するガイダンス出力部と、
を具備し、
前記オーダー情報には、撮影種別を示す情報及び撮影手技を示す情報の少なくとも１つが含まれており、
前記撮影種別を示す情報は、静止画撮影であること又は動態撮影であることを示す情報であり、
前記撮影手技を示す情報は、深呼吸であること、安静呼吸であること、又は息止めであることを示す情報である、
放射線撮影支援システム。
【請求項１０】
前記オーダー情報は、ＨＩＳサーバー又はＲＩＳサーバー出力されたものである、
請求項９に記載の放射線撮影支援システム。
【請求項１１】
前記入力部及び前記ガイダンス選択部は、放射線撮影支援装置に設けられ、
前記ガイダンス出力部は、少なくとも、放射線撮影装置が配置された撮影室に設けられる、
請求項９又は１０に記載の放射線撮影支援システム。
【請求項１２】
前記オーダー情報には、患者情報が含まれており、
前記ガイダンス選択部は、前記撮影種別を示す情報と撮影手技を示す情報の少なくとも１つ及び患者情報に基づいて、前記ガイダンスを選択する、
請求項９から１１のいずれか一項に記載の放射線撮影支援システム。
【請求項１３】
被検者に放射線を照射することによる動態撮影に用いられる放射線撮影支援プログラムであって、
検査のオーダー情報を入力させる処理と、
前記オーダー情報に基づいて、被検者の動態を誘導するためのガイダンスを選択させる処理と、
を実行させ、
前記オーダー情報には、撮影種別を示す情報及び撮影手技を示す情報の少なくとも１つが含まれており、
前記撮影種別を示す情報は、静止画撮影であること又は動態撮影であることを示す情報であり、
前記撮影手技を示す情報は、深呼吸であること、安静呼吸であること、又は息止めであることを示す情報である、
放射線撮影支援プログラム。
【手続補正２】
【補正対象書類名】明細書
【補正対象項目名】発明の名称
【補正方法】変更
【補正の内容】
【発明の名称】放射線撮影支援装置、放射線撮影支援システム及び放射線撮影支援プログラム
【手続補正３】
【補正対象書類名】明細書
【補正対象項目名】０００１
【補正方法】変更
【補正の内容】
【０００１】
本発明は、放射線撮影システムに用いられる放射線撮影支援装置（いわゆるコンソール装置）、放射線撮影支援システム及び放射線撮影支援プログラムに関する。
【手続補正４】
【補正対象書類名】明細書
【補正対象項目名】００１０
【補正方法】変更
【補正の内容】
【００１０】
本発明の目的は、操作者によるガイダンスの選択ミスによって誤ったガイダンスが出力されることを防止できる、放射線撮影支援装置、放射線撮影支援システム及び放射線撮影支援プログラムを提供することである。
【手続補正５】
【補正対象書類名】明細書
【補正対象項目名】００１１
【補正方法】変更
【補正の内容】
【００１１】
本発明の放射線撮影支援装置の一つの態様は、
被検者に放射線を照射することによる動態撮影に用いられる放射線撮影支援装置であって、
検査のオーダー情報を入力する入力部と、
前記入力部から入力した前記オーダー情報に基づいて、被検者の動態を誘導するためのガイダンスを選択するガイダンス選択部と、
を具備し、
前記オーダー情報には、撮影種別を示す情報及び撮影手技を示す情報の少なくとも１つが含まれており、
前記撮影種別を示す情報は、静止画撮影であること又は動態撮影であることを示す情報であり、
前記撮影手技を示す情報は、深呼吸であること、安静呼吸であること、又は息止めであることを示す情報である。
【手続補正６】
【補正対象書類名】明細書
【補正対象項目名】００１２
【補正方法】変更
【補正の内容】
【００１２】
本発明の放射線撮影支援システムの一つの態様は、
被検者に放射線を照射することによる動態撮影に用いられる放射線撮影支援システムであって、
オーダー情報を入力する入力部と、
前記オーダー情報に基づいて、被検者の動態を誘導するためのガイダンスを選択するガイダンス選択部と、
前記ガイダンス選択部によって選択されたガイダンスを被検者に知覚可能に出力するガイダンス出力部と、
を具備し、
前記オーダー情報には、撮影種別を示す情報及び撮影手技を示す情報の少なくとも１つが含まれており、
前記撮影種別を示す情報は、静止画撮影であること又は動態撮影であることを示す情報であり、
前記撮影手技を示す情報は、深呼吸であること、安静呼吸であること、又は息止めであることを示す情報である。
本発明の放射線撮影支援プログラムの一つの態様は、
被検者に放射線を照射することによる動態撮影に用いられる放射線撮影支援プログラムであって、
検査のオーダー情報を入力させる処理と、
前記オーダー情報に基づいて、被検者の動態を誘導するためのガイダンスを選択させる処理と、
を実行させ、
前記オーダー情報には、撮影種別を示す情報及び撮影手技を示す情報の少なくとも１つが含まれており、
前記撮影種別を示す情報は、静止画撮影であること又は動態撮影であることを示す情報であり、
前記撮影手技を示す情報は、深呼吸であること、安静呼吸であること、又は息止めであることを示す情報である。